(57)【特許請求の範囲】
【請求項１】
コンピュータにより実行される、物品置き場構造制御方法であって、
前記コンピュータが、物品置き場内のスタッフの現在の人数に対する棚入れすべき到着物品の量の比率に基づいて前記スタッフの忙しさを決定するステップと、
前記忙しさが第１の事前設定値を上回っている場合に、前記コンピュータが、前記物品がランダムに棚入れされるように制御するための命令を出力するステップと、
前記忙しさが前記第１の事前設定値と第２の事前設定値との間にある場合に、前記コンピュータが、前記物品が属する売上人気レベルを決定し、次いで前記物品が、前記物品の前記売上人気レベルに対応する棚に入れられるように制御するための命令を出力するステップであって、前記第１の事前設定値が、前記第２の事前設定値よりも大きい、ステップと、
前記忙しさが前記第２の事前設定値を下回っている場合に、前記コンピュータが、前記物品が属する売上人気レベルを決定し、次いで、より高い売上人気レベルの事前に選択された物品に対応する棚の現在残っている空間が、前記より高い売上人気レベルの前記到着物品を収容するのに十分であるかどうかを判断し、該空間が十分である場合には、前記物品が、前記物品の前記売上人気レベルに対応する前記棚に入れられるように制御するための命令を出力し、該空間が十分でない場合には、棚から引き出されることになる、より低い売上人気レベルの物品を事前設定戦略に従って決定し、前記より低い売上人気の前記物品が前記棚から引き出されるように制御するための命令を出力し、さらに、前記より高い売上人気レベルの前記物品が、前記より低い売上人気レベルの前記物品が引き出される前に入れられていた前記棚に入れられるように制御するための命令を出力するステップと
を含むことを特徴とする物品置き場構造制御方法。
【請求項２】
より高い売上人気レベルが、物品置き場の出口により近い棚に対応するという基準に従って、物品の売上人気レベルに対応する棚が決定されることを特徴とする、請求項１に記載の物品置き場構造制御方法。
【請求項３】
より高い売上人気レベルの物品が、より低い売上人気レベルの物品が引き出される前に入れられていた棚に入れられるように制御するための命令を出力するステップの後に、
前記より低い売上人気レベルの前記物品が指定の棚に入れられるように制御するための命令を出力するステップをさらに含むことを特徴とする、請求項１又は２に記載の物品置き場構造制御方法。
【請求項４】
物品が属する売上人気レベルを決定するステップが、販売された物品の量と、販売された物品の事前設定量と、前記売上人気レベルとの間における対応に基づいて、前記物品が属する前記売上人気レベルを取得するステップを含むことを特徴とする、請求項１、２、又は３に記載の物品置き場構造制御方法。
【請求項５】
物品が属する売上人気レベルを決定するステップが、指定のウェブサイト上での前記物品への訪問の回数と、前記指定のウェブサイト上での前記物品への訪問の事前設定回数と、前記売上人気レベルとの間における対応に基づいて、前記物品が属する前記売上人気レベルを取得するステップを含むことを特徴とする、請求項１〜４のいずれかに記載の物品置き場構造制御方法。
【請求項６】
物品が属する売上人気レベルを決定するステップが、前記物品の売上収益と、前記物品の事前設定売上収益と、前記売上人気レベルとの間における対応に基づいて、前記物品が属する前記売上人気レベルを取得するステップを含むことを特徴とする、請求項１〜５のいずれかに記載の物品置き場構造制御方法。
【請求項７】
物品置き場内のスタッフの現在の人数に対する棚入れすべき到着物品の量の比率に基づいて前記スタッフの忙しさを決定するためのコンピューティングモジュールと、
前記忙しさが第１の事前設定値を上回っている場合に、前記物品がランダムに棚入れされるように制御するための命令を出力するための第１の制御モジュールと、
前記忙しさが前記第１の事前設定値と第２の事前設定値との間にある場合に、前記物品が属する売上人気レベルを決定し、次いで前記物品が、前記物品の前記売上人気レベルに対応する棚に入れられるように制御するための命令を出力するための第２の制御モジュールであって、前記第１の事前設定値が、前記第２の事前設定値よりも大きい、第２の制御モジュールと、
前記忙しさが前記第２の事前設定値を下回っている場合に、前記物品が属する売上人気レベルを決定し、次いで、より高い売上人気レベルの事前に選択された物品に対応する棚の現在残っている空間が、前記より高い売上人気レベルの前記到着物品を収容するのに十分であるかどうかを判断し、該空間が十分である場合には、前記物品が、前記物品の前記売上人気レベルに対応する前記棚に入れられるように制御するための命令を出力し、該空間が十分でない場合には、棚から引き出されることになる、より低い売上人気レベルの物品を事前設定戦略に従って決定し、次いで、前記より低い売上人気の前記物品が前記棚から引き出されるように制御するための命令を出力し、前記より高い売上人気レベルの前記物品が、前記より低い売上人気レベルの前記物品が引き出される前に入れられていた前記棚に入れられるように制御するための命令を出力するための第３の制御モジュールと
を含むことを特徴とする物品置き場構造制御デバイス。
【請求項８】
第２の制御モジュールがさらに、より高い売上人気レベルが、物品置き場の出口により近い棚に対応するという基準に従って、物品の売上人気レベルに対応する棚を決定するために使用されることを特徴とする、請求項７に記載の物品置き場構造制御デバイス。
【請求項９】
より低い売上人気レベルの物品が指定の棚に入れられるように制御するための第３の制御モジュールをさらに含むことを特徴とする、請求項７又は８に記載の物品置き場構造制御デバイス。
【請求項１０】
第２の制御モジュール及び第３の制御モジュールがさらに、販売された物品の量と、販売された物品の事前設定量と、売上人気レベルとの間における対応に基づいて、前記物品が属する前記売上人気レベルを取得するために使用されることを特徴とする、請求項７、８、又は９に記載の物品置き場構造制御デバイス。
【請求項１１】
第２の制御モジュール及び第３の制御モジュールがさらに、指定のウェブサイト上での物品への訪問の回数と、前記指定のウェブサイト上での前記物品への訪問の事前設定回数と、売上人気レベルとの間における対応に基づいて、前記物品が属する前記売上人気レベルを取得するために使用されることを特徴とする、請求項７〜１０のいずれかに記載の物品置き場構造制御デバイス。
【請求項１２】
第２の制御モジュール及び第３の制御モジュールがさらに、物品の売上収益と、前記物品の事前設定売上収益と、売上人気レベルとの間における対応に基づいて、前記物品が属する前記売上人気レベルを取得するために使用されることを特徴とする、請求項７〜１１のいずれかに記載の物品置き場構造制御デバイス。
【発明の詳細な説明】
【技術分野】
【０００１】
本発明は、物品置き場構造制御方法及びデバイスに関する。
【背景技術】
【０００２】
社会の発展に伴って、商品の流通が増大しており、販売業者による倉庫リソースの消費も増大している。したがって、物品置き場の空間をより効果的に利用することが必要である。現在の物品置き場構造制御の面における通常の実務としては、荷下ろしを担当するスタッフが、多くの棚を有する物品置き場内の棚にランダムに受け入れ物品を置き、次いで、物品の調整を担当するスタッフが、指定の棚にそれらの物品を置き、それらの物品が入れられている棚の場所を、物品置き場内の物品を管理するためのコンピュータに登録する。それらの物品を取ってくる際には、それらの物品が配置されている棚をコンピュータにおいて調べることができる。
【発明の概要】
【発明が解決しようとする課題】
【０００３】
現在の実務の問題は、主として、到着物品の棚入れ効率及び手作業の利用が低劣であることにある。したがって、物品置き場構造制御方法を提供する必要がある。
【課題を解決するための手段】
【０００４】
上記に鑑みて、本発明は、到着物品の棚入れ効率及び手作業の利用を改善することができる物品置き場制御方法及びデバイスを提供しなければならない。
【０００５】
上述の目的を果たすために、本発明の一態様によれば、物品置き場構造制御方法が提供される。
【０００６】
本発明による物品置き場構造制御方法は、物品置き場内のスタッフの現在の人数に対する棚入れすべき到着物品の量の比率に基づいてスタッフの忙しさを決定するステップと、忙しさが第１の事前設定値を上回っている場合に、物品がランダムに棚入れされるように制御するための命令を出力するステップと、忙しさが第１の事前設定値と第２の事前設定値との間にある場合に、物品が属する売上人気レベルを決定し、次いで物品が、それらの物品の売上人気レベルに対応する棚に入れられるように制御するための命令を出力するステップであって、第１の事前設定値が、第２の事前設定値よりも大きい、ステップと、忙しさが第２の事前設定値を下回っている場合に、物品が属する売上人気レベルを決定し、次いで、より高い売上人気レベルの事前に選択された物品に対応する棚の現在残っている空間が、より高い売上人気レベルの到着物品を収容するのに十分であるかどうかを判断し、そうである場合には、物品が、それらの物品の売上人気レベルに対応する棚に入れられるように制御するための命令を出力し、そうでない場合には、棚から引き出されることになる、より低い売上人気レベルの物品を事前設定戦略に従って決定し、次いで、より低い売上人気の物品が棚から引き出されるように制御するための命令を出力し、より高い売上人気レベルの物品が、より低い売上人気レベルの物品が引き出される前に入れられていた棚に入れられるように制御するための命令を出力するステップとを含む。
【０００７】
物品の売上人気レベルに対応する棚は、より高い売上人気レベルが、物品置き場の出口により近い棚に対応するという基準に従って決定されてもよい。
【０００８】
より高い売上人気レベルの物品が、より低い売上人気レベルの物品が引き出される前に入れられていた棚に入れられるように制御するための命令を出力するステップの後に、この方法は、より低い売上人気レベルの物品が指定の棚に入れられるように制御するための命令を出力するステップをさらに含んでいてもよい。
【０００９】
物品が属する売上人気レベルを決定するステップは、販売された物品の量と、販売された物品の事前設定量と、売上人気レベルとの間における対応に基づいて、物品が属する売上人気レベルを取得するステップを含んでいてもよい。
【００１０】
物品が属する売上人気レベルを決定するステップは、指定のウェブサイト上での物品への訪問の回数と、指定のウェブサイト上での物品への訪問の事前設定回数と、売上人気レベルとの間における対応に基づいて、物品が属する売上人気レベルを取得するステップを含んでいてもよい。
【００１１】
物品が属する売上人気レベルを決定するステップは、物品の売上収益と、物品の事前設定売上収益と、売上人気レベルとの間における対応に基づいて、物品が属する売上人気レベルを取得するステップを含んでいてもよい。
【００１２】
本発明の別の態様によれば、物品置き場構造制御デバイスが提供される。
【００１３】
本発明による物品置き場構造制御デバイスは、物品置き場内のスタッフの現在の人数に対する棚入れすべき到着物品の量の比率に基づいてスタッフの忙しさを決定するためのコンピューティングモジュールと、忙しさが第１の事前設定値を上回っている場合に、物品がランダムに棚入れされるように制御するための命令を出力するための第１の制御モジュールと、忙しさが第１の事前設定値と第２の事前設定値との間にある場合に、物品が属する売上人気レベルを決定し、次いで物品が、それらの物品の売上人気レベルに対応する棚に入れられるように制御するための命令を出力するステップであって、第１の事前設定値が、第２の事前設定値よりも大きい、第２の制御モジュールと、忙しさが第２の事前設定値を下回っている場合に、物品が属する売上人気レベルを決定し、次いで、より高い売上人気レベルの事前に選択された物品に対応する棚の現在残っている空間が、より高い売上人気レベルの到着物品を収容するのに十分であるかどうかを判断し、そうである場合には、物品が、それらの物品の売上人気レベルに基づく棚に入れられるように制御するための命令を出力し、そうでない場合には、棚から引き出されることになる、より低い売上人気レベルの物品を事前設定戦略に従って決定し、次いで、より低い売上人気の物品が棚から引き出されるように制御するための命令を出力し、より高い売上人気レベルの物品が、より低い売上人気レベルの物品が引き出される前に入れられていた棚に入れられるように制御するための命令を出力するための第３の制御モジュールとを含む。
【００１４】
第２の制御モジュールはさらに、より高い売上人気レベルが、物品置き場の出口により近い棚に対応するという基準に従って、物品の売上人気レベルに対応する棚を決定するために使用されてもよい。
【００１５】
第３の制御モジュールはさらに、より低い売上人気レベルの物品が指定の棚に入れられるように制御するために含まれていてもよい。
【００１６】
第２の制御モジュール及び第３の制御モジュールはさらに、販売された物品の量と、販売された物品の事前設定量と、売上人気レベルとの間における対応に基づいて、物品が属する売上人気レベルを取得するために使用されてもよい。
【００１７】
第２の制御モジュール及び第３の制御モジュールはさらに、指定のウェブサイト上での物品への訪問の回数と、指定のウェブサイト上での物品への訪問の事前設定回数と、売上人気レベルとの間における対応に基づいて、物品が属する売上人気レベルを取得するために使用されてもよい。
【００１８】
第２の制御モジュール及び第３の制御モジュールはさらに、物品の売上収益と、物品の事前設定売上収益と、売上人気レベルとの間における対応に基づいて、物品が属する売上人気レベルを取得するために使用されてもよい。
【００１９】
本発明の技術的な解決策によれば、物品置き場内のスタッフが忙しい場合には、物品をできるだけ速く荷下ろしする。物品置き場内のスタッフの忙しさが中程度である場合には、物品を指定の棚に割り振る。物品置き場内のスタッフが相対的に手が空いている場合には、棚の物品を調整する。上述のプロセスにおいて、物品の売上人気レベルが考慮される。本発明の実施形態の技術的な解決策を採用することによって、物品の場所を記録することに加えて、物品置き場内のコンピュータはさらに、効率的で迅速な計算を介して物品置き場構造を制御して、物品がスタッフの忙しさに基づいて妥当に棚入れされるようにすることが可能であり、それは、２次的な物品調整のためのワークロードをできるだけ少なくし、良好な配送を容易にする。したがって物品置き場は、そのオペレーション効率及びパフォーマンスを全体として改善する。
【図面の簡単な説明】
【００２０】
図面は、本発明をよりよく理解するために使用され、本発明の不適切な限定を構成するものではない。
【図１】本出願の一実施形態による物品置き場構造制御方法の主なステップの概略図である。
【図２】本出願の一実施形態による物品置き場構造制御デバイスの基本的な構造の概略図である。
【発明を実施するための形態】
【００２１】
本発明の例示的な実施形態が、以降で図面を参照しながら示されており、そこには、よりよい理解のために本発明の実施形態のさまざまな詳細が含まれており、したがって、それらは単なる例示とみなされるべきである。したがって、本明細書において示されている実施形態に対してさまざまな修正及び変更を行うことができ、その結果は本発明の範囲及び趣旨から逸脱しないことを標準的な当業者なら理解するはずである。同様に、明確さ及び簡潔さのために、以降の説明においては、一般に知られている機能及び構造を示すことは省略されている。
【００２２】
図１は、本出願の一実施形態による物品置き場構造制御方法の主なステップの概略図である。
【００２３】
図１において示されているように、本発明のこの実施形態による物品置き場構造制御方法は、物品置き場内の物品を管理するためのコンピュータによって実行することができる。この方法が、以降で詳細に示されている。
【００２４】
はじめは、物品置き場内のスタッフの忙しさを決定するステップ、すなわち、ステップＳ１：物品置き場内のスタッフメンバーの現在の人数に対する棚入れすべき到着物品の量の比率に基づいてスタッフの忙しさを決定するステップである。
【００２５】
棚入れすべき到着物品の量は、購入及び貯蔵計画に基づいて事前に知ることができる。実際には、棚入れすべき到着物品の量を取得するためのその他の方法、例えば、物流スタッフによって送付される配送書がある。
【００２６】
物品置き場内のスタッフの現在の人数に対する棚入れすべき到着物品の量の比率が、相対的に大きな数値である場合、それは、物品置き場内のスタッフが相対的に忙しいことを意味していることは、容易に理解することができる。経験に従って２つの事前設定値を設定することができ、第１の事前設定値は、第２の事前設定値よりも大きい。スタッフの現在の忙しさと、２つの事前設定値との間の大きさにおける関係に従って、物品置き場構造制御モードが決定される。
【００２７】
プロセスは、ステップＳ１の後に、スタッフの忙しさを判断するステップＳ２に入る。
【００２８】
ステップＳ２において、スタッフの忙しさが第１の事前設定値を上回っていると判断された場合、プロセスは、物品がランダムに棚入れされるように制御するための命令を出力するステップＳ２１０に入る。この命令は、物品置き場内の光インジケータへ送信されることが可能であり、それによって光インジケータは、「ランダムに棚入れせよ」という文字を表示する。あるいは、物品置き場内のスタッフに通知することが可能であるその他のモードを使用することもできる。
【００２９】
上述の実務は主として、物品置き場内のスタッフは非常に忙しく、事前に計画された棚に物品を入れる時間がなく、できるだけ速く物品を荷下ろしすることしかできないという事実を考慮に入れている。物品の場所は、物品置き場内のスタッフが時間のあるときに、調整されることになる。調整のモードについては、後ほど説明する。
【００３０】
ステップＳ２において、スタッフの忙しさが第１の事前設定値と第２の現在値との間にあると判断された場合、それは、スタッフの忙しさが中程度であることを示しており、次いでプロセスは、ステップＳ２２０に入る。このケースにおいては、指定の棚に到着物品を入れることができ、それによって、その後の物品調整は不要となる。
【００３１】
この実施形態においては、物品を、売上におけるそれらの物品の人気に従って分類し、棚を複数のグループへと分ける。別々の売上人気レベルの物品は、別々のグループの棚に対応する。それらの棚には、それらの棚が属するグループを示すために別々の色を塗ることができ、又はそれらの棚に書かれたシリアルナンバーを付けることができる。
【００３２】
ステップＳ２２０において、物品が属する売上人気レベルを決定する。物品の売上人気レベルは、さまざまな基準に従って決定することができる。例えば、物品の売上人気レベルは、販売された物品の量を使用することによって、又は別法として物品に関する指定のウェブサイト上での訪問の回数によって、又は別法として物品の売上収益によって、特徴付けることができる。
【００３３】
販売された物品の量が、物品の売上人気レベルを特徴付けるために使用される場合には、物品が属する売上人気レベルは、販売された物品の量と、販売された物品の事前設定量と、売上人気レベルとの間における対応に基づいて取得することができる。
【００３４】
物品に関する指定のウェブサイト上での訪問の回数が、物品の売上人気レベルを特徴付けるために使用される場合には、物品が属する売上人気レベルは、訪問の回数と、物品に関する指定のウェブサイト上での訪問の事前設定回数と、売上人気レベルとの間における対応に基づいて取得することができる。
【００３５】
物品の売上収益が、物品の売上人気レベルを特徴付けるために使用される場合には、物品が属する売上人気レベルは、売上収益と、物品の事前設定売上収益と、売上人気レベルとの間における対応に基づいて取得することができる。
【００３６】
物品が属する売上人気レベルが決定された後に、物品が、それらの物品の売上人気レベルに対応する棚に入れられるように制御するための命令を出力することができる（ステップＳ２２１）。その命令は、棚の色又はシリアルナンバーを含むことができる。同様に、その命令は、光インジケータ又は類似のデバイスへ出力することができる。
【００３７】
物品の１つの売上人気レベルが複数の棚に対応する場合には、命令を出力する前に、それぞれの棚の占有率を判断することができ、低い占有率を有する棚の識別子、例えば、棚の色又はシリアルナンバーを命令内に含めることができる。
【００３８】
物品の売上人気レベルに従って物品の棚入れ場所を制御することは、相対的に妥当な物品置き場構造を形成する上で役に立ち、２次的な物品調整のワークロードをできるだけ少なくし、それによって到着物品の棚入れ効率を改善し、物品置き場内のスタッフの手作業を軽減し、手作業の利用を改善する。
【００３９】
物品の好都合な配送のために、物品を棚入れするための場所を制御する際には、より高い売上人気レベルを、物品置き場の出口により近い棚に対応させることができる。
【００４０】
物品置き場内のスタッフが相対的に手が空いていることがわかった場合には、物品置き場構造に対して何らかの調整を行うことができる。この実施形態においては、ステップＳ２において、スタッフの忙しさが第２の事前設定値を下回っていると判断された場合、プロセスは、ステップＳ２３０に入る。それは、物品置き場内のスタッフが現時点で相対的に手が空いていることを示しており、この機会を利用して物品置き場構造を調整することができる。
【００４１】
はじめに、物品が属する売上人気レベルを決定し（ステップＳ２３０）、次いで到着物品から、より高い売上人気レベルのいくつかの物品を事前に選択して、それらの物品に対応する棚の現在残っている空間が、より高い売上人気レベルのそれらの到着物品を収容するのに十分な大きさであるかどうかを判断する（ステップＳ２３１）。そうである場合には、それらの物品は、そのまま棚入れされる、すなわち、それらの物品が、それらの物品の売上人気レベルに対応する棚に入れられるように制御するための命令を出力し（ステップＳ２３２）、そうでない場合には、棚から引き出されることになる、より低い売上人気レベルの物品を事前設定戦略に基づいて決定する（ステップＳ２３３）。
【００４２】
事前設定戦略は、フレキシブルに決定することができる。例えば、物品の売上人気レベルは、販売された物品の量によって、又は別法として指定のウェブサイト上での物品への訪問の回数によって、又は別法として物品の売上収益によって、同様に特徴付けることができる。その後の配送における都合のために、より低い売上人気レベルを有する物品の中から、物品置き場の出口により近い棚の物品を、優先して棚から引き出されることになる物品として選択してもよい。あるいは、棚の点からは、棚の物品の売上人気レベルが特定のエリアにおいて全体として低い場合には、それらの棚のすべての物品を棚から引き出して、より高い売上人気レベルの物品と置き換えることができる。又は、特定のエリアにおける棚の貯蔵率が相対的に低い場合には、それらの棚の物品を引き出すことができる。当然ながら、それらの棚から物品を引き出すための作業の量は限られている。
【００４３】
ステップＳ２３３に続いて、より低い売上人気レベルの物品が棚から引き出されるように制御するための命令を出力する（ステップＳ２３４）。次いで、より高い売上人気レベルを有する物品が、より低い売上人気レベルの物品が引き出される前に入れられていた棚に入れられるように制御するための命令を出力する（ステップＳ２３５）。
【００４４】
本発明の一実施形態による物品置き場構造制御デバイスが、以降で示されている。
【００４５】
本発明のこの実施形態による物品置き場構造制御デバイスは、物品置き場内の物品を管理するためのコンピュータにおいて提供されるソフトウェアとともに実装することができる。図２は、本発明の一実施形態における物品置き場構造制御デバイスの基本的な構造の概略図である。図２において示されているように、物品置き場構造制御デバイス２は、主として、コンピューティングモジュール２０と、第１の制御モジュール２１と、第２の制御モジュール２２と、第３の制御モジュール２３とを含む。
【００４６】
コンピューティングモジュール２０は、物品置き場内のスタッフの現在の人数に対する棚入れすべき到着物品の量の比率に基づいてスタッフの忙しさを決定するために使用される。
【００４７】
第１の制御モジュール２１は、忙しさが第１の事前設定値を上回っている場合に、物品がランダムに棚入れされるように制御するための命令を出力するために使用される。
【００４８】
第２の制御モジュール２２は、忙しさが第１の事前設定値と第２の事前設定値との間にある場合に、物品が属する売上人気レベルを決定し、次いで物品が、それらの物品の売上人気レベルに対応する棚に入れられるように制御するための命令を出力するために使用され、その場合、第１の事前設定値は、第２の事前設定値よりも大きい。
【００４９】
第３の制御モジュール２３は、忙しさが第２の事前設定値を下回っている場合に、物品が属する売上人気レベルを決定し、次いで、より高い売上人気レベルの事前に選択された物品に対応する棚の現在残っている空間が、より高い売上人気レベルのそれらの到着物品を収容するのに十分であるかどうかを判断し、そうである場合には、それらの物品が、それらの物品の売上人気レベルに対応する棚に入れられるように制御するための命令を出力し、そうでない場合には、棚から引き出されることになる、より低い売上人気レベルの物品を事前設定戦略に基づいて決定し、次いで、より低い売上人気の物品が棚から引き出されるように制御するための命令を出力し、さらに、より高い売上人気レベルの物品が、より低い売上人気レベルの物品が引き出される前に入れられていた棚に入れられるように制御するための命令を出力するために使用される。
【００５０】
第２の制御モジュール２２はさらに、より高い売上人気レベルが、物品置き場の出口により近い棚に対応するという基準に従って、物品の売上人気レベルに対応する棚を決定するために使用することができる。
【００５１】
図２において示されている物品置き場制御デバイス２はさらに、第３の制御モジュール（図示せず）を含むことができ、その第３の制御モジュールは、より低い売上人気レベルの物品が指定の棚に入れられるように制御するための命令を出力するために使用される。
【００５２】
第２の制御モジュール２２及び第３の制御モジュールはさらに、販売された物品の量と、販売された物品の事前設定量と、売上人気レベルとの間における対応に基づいて、物品が属する売上人気レベルを取得するために使用することができる。
【００５３】
第２の制御モジュール２２及び第３の制御モジュールはさらに、指定のウェブサイト上での物品への訪問の回数と、指定のウェブサイト上での物品への訪問の事前設定回数と、売上人気レベルとの間における対応に基づいて、物品が属する売上人気レベルを取得するために使用することができる。
【００５４】
第２の制御モジュール２２及び第３の制御モジュールはさらに、売上収益と、物品の事前設定売上収益と、売上人気レベルとの間における対応に基づいて、物品が属する売上人気レベルを取得するために使用することができる。
【００５５】
本発明の実施形態の技術的な解決策によれば、物品置き場内のスタッフが忙しい場合には、物品をできるだけ速く荷下ろしすべきである。物品置き場内のスタッフの忙しさが中程度である場合には、物品を指定の棚に割り振るべきである。物品置き場内のスタッフが相対的に手が空いている場合には、棚の物品を調整すべきである。上述のプロセスにおいて、物品の売上人気レベルが考慮される。したがって、本発明の実施形態の技術的な解決策を採用することによって、物品の場所を記録することに加えて、物品置き場内のコンピュータはさらに、効率的で迅速な計算を介して物品置き場構造を制御して、棚入れすべき物品がスタッフの忙しさに基づいて妥当に割り振られるようにすること、２次的な物品調整のためのワークロードをできるだけ少なくすること、及び出荷を容易にすることが可能である。したがって物品置き場は、そのオペレーション効率及びパフォーマンスを全体として改善する。
【００５６】
本発明の基本的な原理が、特定の実施形態を参照しながら上述されている。しかしながら、本発明による方法及びデバイスのありとあらゆるステップ又はコンポーネントは、任意のコンピューティングデバイス（プロセッサ、ストレージメディアなどを含む）又はコンピューティングデバイスのネットワークにおいてハードウェア、ファームウェア、ソフトウェア、又はそれらの組合せとともに実装することができることを標準的な当業者なら理解することが可能である。これは、標準的な当業者が本発明の説明を検討すれば、自分の基本的なプログラミングスキルを用いて実行することができる。
【００５７】
したがって本発明の目的は、別法として、プログラム又はプログラムのセットを任意のコンピューティングデバイス上で実行することによって実施することもできる。そのコンピューティングデバイスは、よく知られている一般的なデバイスであることが可能である。したがって本発明の目的は、別法として、上述の方法又はデバイスを実施するためのプログラムコードを含むプログラム製品によって実施することもできる。すなわち、そのようなプログラム製品も本発明を構成し、そのようなプログラム製品が格納されているストレージメディアも本発明を構成する。当然ながら、それらのストレージメディアは、任意の既知のストレージメディア、又は今後開発されることになる任意のストレージメディアであることが可能である。
【００５８】
さらに、本発明のデバイス及び方法においては、当然ながらそれぞれのコンポーネント及びそれぞれのステップを分解及び／又は再結合することができることに留意されたい。それらの分解及び／又は再結合は、本発明の均等な解決策であるとみなされるものとする。その上、上述の一連の処理のステップは、示されているシーケンスに自然に準拠する時間的なシーケンスに従って実行することができるが、その時間的なシーケンスに従うことは必須ではない。いくつかのステップは、並列に、又は互いに独立して実行することができる。
【００５９】
上述の特定の実施形態は、本発明の保護範囲の限定を構成するものではない。設計要件及びその他の要因に応じて、さまざまな修正、組合せ、サブコンビネーション、及び代用が許容可能であることを当業者なら理解するであろう。本発明の趣旨及び原理内のあらゆる修正、均等な代用、改良などは、本発明の保護範囲内に含まれるものとする。
【図１】
0006017671.tif 000002
【図２】
0006017671.tif 000003